(57)【特許請求の範囲】
【請求項１】
キャビネットと、
前記キャビネットの内部に収容され、乾燥対象物が投入される乾燥ドラムと、
前記乾燥ドラムの内部に熱風を供給する吸入流路と、
前記吸入流路上の所定の地点に配置され、前記吸入流路に流入する空気を高温に加熱する加熱手段と、
前記乾燥ドラムから排出される熱風が流れる排気流路と、
前記排気流路上の所定の一地点に装着され、前記乾燥ドラムの内部の空気を強制流動させる送風装置と、
前記排気流路上の他の一地点に装着されるリントフィルタと、
前記排気流路の一部を形成し、内部に前記リントフィルタを収容するガイドダクトと、
前記乾燥ドラムから吐出される空気が流れるある位置に設置され、前記乾燥ドラムから吐出される空気が前記ガイドダクトにガイドされる前に、異物がフィルタリングされるようにする遮断部材と、を含み、
前記遮断部材は、
横方向に一定間隔離隔して形成される多数の遮断リブと、横方向に延長され、上下方向に一定間隔離隔し、前記多数の遮断リブを連結する多数の区画リブと、を含み、
前記遮断リブそれぞれの一面は、前記乾燥ドラムの左右方向に延長される垂直面から９０度より小さい鋭角に傾斜する傾斜面を形成し、
前記傾斜面は、水平面または前記区画リブの上面から９０度より小さい鋭角に傾斜することを特徴とする、衣類乾燥機。
【請求項２】
前記遮断リブは、前記傾斜面を含む第１パートと、前記第１パートから所定の曲率でラウンド状に延長される第２パートとを含むことを特徴とする、請求項１に記載の衣類乾燥機。
【請求項３】
前記第２パートの外側面と内側面は、同一方向にラウンド状をなし、かつ相互異なる曲率を持ってラウンド状をなすことを特徴とする、請求項２に記載の衣類乾燥機。
【請求項４】
前記第２パートの内側面は、前記傾斜面の反対面と連続的につながり、かつ同一方向にラウンド状をなし、
前記第２パートの外側面は、前記傾斜面の端部から所定の曲率でラウンド状をなすことを特徴とする、請求項２に記載の衣類乾燥機。
【請求項５】
前記第２パートは、前記送風装置が置かれた方に向かってラウンド状に形成されることを特徴とする、請求項２に記載の衣類乾燥機。
【請求項６】
前記多数の区画リブは、前記乾燥ドラムの投入口のエッジ形状に沿ってラウンド状に形成され、
区画リブそれぞれは、前記乾燥ドラムの底側に下方傾斜することを特徴とする、請求項１に記載の衣類乾燥機。
【請求項７】
上下方向に隣接する前記第２パートは、前記区画リブの厚さに該当する間隔に離隔することを特徴とする、請求項２に記載の衣類乾燥機。
【請求項８】
上下方向に隣接する前記第１パートは、前記区画リブによって区分され、
前記第２パートは、上下方向に所定の長さに延長される単一体からなることを特徴とする、請求項２に記載の衣類乾燥機。
【発明の詳細な説明】
【技術分野】
【０００１】
本発明は、衣類乾燥機に関する。
【背景技術】
【０００２】
衣類乾燥機は、回転するドラムの内部に乾燥対象物が投入された状態で、熱風を乾燥ドラムの内部に供給して、衣類に吸収された水分を除去する家電機器である。ドラムに供給される熱風は、電気抵抗熱またはガス燃料を利用した燃焼熱によって生成され、送風ファンを利用して、前記熱風が乾燥ドラムの内部に供給されるようにする。
【０００３】
また、前記衣類乾燥機は、熱風の供給方式に応じて循環式乾燥機と排気式乾燥機に区分される。即ち、前記循環式乾燥機は、乾燥ドラムの内部に供給される熱風が乾燥機の内部で循環しながら加熱と冷却を繰り返す方式の乾燥機であり、前記排気式乾燥機は、乾燥ドラムの内部に供給された熱風が乾燥ドラムを抜け出て、乾燥機の外部に排出される方式の乾燥機である。
【０００４】
一方、乾燥過程では、衣類の中に入っている各種の軟性（ｆｌｅｘｉｂｌｅ）及び硬性（ｒｉｇｉｄ）異物が衣類から分離されて、乾燥ドラムの底に落ちるだけではなく衣類に付着しているリント（ｌｉｎｔ）が分離されて、乾燥ドラムから排出される空気中に浮遊することになる。
【０００５】
これによって、前記軟性及び硬性異物が、乾燥ドラムから排出される空気の排出流路に流入すれば、乾燥ファンを損傷させるか、または、ファンの負荷を増加させて、乾燥性能を低下させる原因になる。そして、乾燥過程で発生するリントなどが乾燥ドラムとキャビネットとの間の隙間を通して燃焼装置や電気部品に流入すれば、乾燥機の火災原因にもなる。
【０００６】
特に、乾燥ドラムの底に落ちる硬性異物によって、乾燥過程で振動と騒音が発生する問題も発生する。ここで、軟性異物といえば、髪の毛、ゴムバンド、糸、菓子袋、布などが含まれ、硬性異物といえば、綿棒、つまようじ、ヘアピン、ランジェリーワイヤー、留めピン、小型アクセサリ、及びボタンなどが含まれる。
【０００７】
従来の乾燥機によれば、乾燥機の内部に異物が投入されれば、 送風機（ｂｌｏｗｅｒ）の前端に異物落下溝を別途に構成しなければならない問題点がある。
【０００８】
そして、異物落下溝が形成されれば、異物落下溝に堆積した異物を取り出して捨てることができる構造が必要な短所がある。
【０００９】
それだけではなく、重い異物は前記異物落下溝に落下して捕集されるが、つまようじのような軽い異物は異物落下溝に落下せずに送風機に流入して、送風機の破損や送風性能の低下原因になる問題点がある。
【００１０】
また、異物が異物落下溝に堆積することで、堆積した異物にリントがかかって一緒に堆積する問題が発生して、空気流動抵抗を顕著に増加させる原因になり得る。
【発明の概要】
【発明が解決しようとする課題】
【００１１】
本発明は、上記のような問題を改善するために提案されたものである。
【課題を解決するための手段】
【００１２】
上記のような目的を達成するための本発明の実施例に係る衣類乾燥機は、キャビネットと、前記キャビネットの内部に収容され、乾燥対象物が投入される乾燥ドラムと、前記乾燥ドラムの内部に熱風を供給する吸入流路と、前記吸入流路上の所定の地点に配置され、前記吸入流路に流入する空気を高温に加熱する加熱手段と、前記乾燥ドラムから排出される熱風が流れる排気流路と、前記排気流路上の所定の一地点に装着され、前記乾燥ドラムの内部の空気を強制流動させる送風装置と、前記排気流路上の他の一地点に装着されるリントフィルタと、前記排気流路の一部を形成し、内部に前記リントフィルタを収容するガイドダクトと、前記乾燥ドラムから吐出される空気が前記ガイドダクトにガイドされる前の所定の位置に設置され、前記ガイドダクトにガイドされる空気に含まれた異物をフィルタリングする遮断部材と、を含み、前記遮断部材は、横方向に一定間隔離隔して形成される多数の遮断リブと、横方向に延長され、上下方向に一定間隔離隔し、前記多数の遮断リブを連結する多数の区画リブと、を含み、前記遮断リブそれぞれの一面は、前記乾燥ドラムの左右方向に延長される垂直面から９０度より小さい鋭角に傾斜する傾斜面を形成することを特徴とする。
【００１３】
他の側面に係る本発明の実施例に係る衣類乾燥機は、キャビネットと、前記キャビネットの内部に収容され、乾燥対象物が投入される乾燥ドラムと、前記乾燥ドラムの内部に熱風を供給する吸入流路と、前記吸入流路上の所定の地点に配置され、前記吸入流路に流入する空気を高温に加熱する加熱手段と、前記乾燥ドラムから排出される熱風が流れる排気流路と、前記排気流路上の所定の一地点に装着され、前記乾燥ドラムの内部の空気を強制流動させる送風装置と、前記排気流路上の他の一地点に装着されるリントフィルタと、前記排気流路の一部を形成し、内部に前記リントフィルタを収容するガイドダクトと、前記乾燥ドラムから吐出される空気が前記ガイドダクトにガイドされる前の所定の位置に設置され、前記ガイドダクトにガイドされる空気に含まれた異物をフィルタリングする遮断部材と、を含み、前記遮断部材は、横方向に一定間隔離隔して形成される多数の遮断リブと、横方向に延長され、上下方向に一定間隔離隔し、前記多数の遮断リブを連結する多数の区画リブと、を含み、前記多数の遮断リブそれぞれは、前記送風装置が置かれた方に向かってラウンド状に延長されることを特徴とする。
【発明の効果】
【００１４】
上記のような構成をなす本発明の実施例に係る衣類乾燥機によれば、以下のような効果がある。
【００１５】
第一は、異物を捕集するための別途の異物落下溝を乾燥機内部の空気流路上に形成する必要がない長所がある。
【００１６】
第二は、異物を捕集するための別途の溝構造が不必要であるため、異物落下溝に堆積した異物を除去するための別途のメンテナンス作業が不必要な長所がある。
【００１７】
第三は、流路上にリント以外の軟性または硬性異物が流入することを根本的に遮断することで、異物の堆積によって乾燥機部品が破損する問題が発生しない長所がある。
【００１８】
第四は、軟性または硬性異物が空気流路上に投入されないため、乾燥過程で振動及び騒音の発生が減少する効果がある。
【図面の簡単な説明】
【００１９】
【図１】本発明の実施例に係る遮断部材が備えられた衣類乾燥機の正面斜視図である。
【図２】前記衣類乾燥機の背面斜視図である。
【図３】本発明の実施例に係る遮断部材の前面を示す斜視図である。
【図４】前記遮断部材の背面を示す部分斜視図である。
【図５】図３のI-Iに沿って切開される縦断面図である。
【図６】図３のII-IIに沿って切開される遮断部材の横断面図である。
【図７】本発明の他の実施例に係る遮断部材の遮断リブの構造を示す部分斜視図である。
【図８】本発明の他の実施例に係る遮断部材の構造を示す切開斜視図である。
【図９】本発明の他の実施例に係る遮断部材を構成する遮断リブの斜視図である。
【発明を実施するための形態】
【００２０】
以下では、本発明の実施例に係るリントフィルタ洗浄装置が備えられた衣類乾燥機について図面を参照して詳しく説明する。そして、本発明の実施例に係るリントフィルタ洗浄装置が備えられた衣類乾燥機の一例として排気式乾燥機をあげて説明する。しかし、本発明の実施例に係るリントフィルタ洗浄装置は、排気式乾燥機だけではなく循環式乾燥機を含む全ての形態の衣類乾燥機に適用可能であることを明らかにしておく。
【００２１】
図１は、本発明の実施例に係る遮断部材が備えられた衣類乾燥機の正面斜視図であり、図２は、前記衣類乾燥機の背面斜視図である。
【００２２】
図１及び図２を参照すると、本発明の実施例に係る遮断部材（ｂｌｏｃｋｉｎｇｍｅｍｂｅｒ）が備えられた衣類乾燥機１０は、内部に乾燥対象物が投入される乾燥ドラム１１と、前記乾燥ドラム１１の前面部を支持するフロントキャビネット１２、前記フロントキャビネット１２の底部に装着される遮断部材３０、及び前記乾燥ドラム１１の後面部を支持するリアキャビネット１３を含むことができる。
【００２３】
詳しくは、前記衣類乾燥機１０は、前記乾燥ドラム１１に供給される空気を吸入する吸入ダクト２１と、前記吸入ダクト２１と前記乾燥ドラム１１の背面に形成された空気流入ホールを連結するリアダクト１９、前記フロントキャビネット１２の底面に連結され、前記乾燥ドラム１１から排出される空気をガイドするガイドダクト１５、前記ガイドダクト１５の出口端に連結される送風装置１６、及び前記送風装置１６の出口端に連結される排気ダクト２０を更に含むことができる。そして、前記ガイドダクト１５の内部にはリントを捕集するリントフィルタ（図示せず）が装着される。
【００２４】
一方、前記フロントキャビネット１２とリアキャビネット１３との間には、ミドルキャビネット（図示せず）が提供され、前記乾燥ドラム１１及び前記乾燥ドラム１１の下側に配置される各種の部品を覆って保護する。前記ミドルキャビネットは、前記衣類乾燥機１０の両側面と上面を定義し、前記ミドルキャビネットの底面には、前記衣類乾燥機１０の底部を定義するベースプレート１０１が提供され、前記ベースプレート１０１の上に前記部品が装着される。
【００２５】
また、前記遮断部材３０は、乾燥過程で乾燥対象物に入っていた異物、例えば、銅貨、ボールペンのように大きくて硬い形態の異物やゴムバンドのような軟質の異物が前記ガイドダクト１５に吸引されることを防止するために提供される。リントのような異物は、前記ガイドダクト１５に流入しても前記リントフィルタでフィルタリングされ、その他の異物、つまり体積のある硬質の異物は、前記遮断部材３０から遮断されて前記乾燥ドラム１１に残ることになる。万一、リント以外の異物が前記ガイドダクト１５に吸引される場合、前記送風装置１６が破損し、または排気ダクト２０の内部でガタツキ音を発生させることがあるため、前記遮断部材３０によって前記異物が前記乾燥ドラム１１から抜け出さないようにする必要がある。そして、前記遮断部材３０は、前記フロントキャビネット１２に着脱可能に結合され、前記遮断部材３０は、前記ガイドダクト１５と前記乾燥ドラム１１の境界部分に装着される。即ち、前記遮断部材３０を通過した空気は、前記ガイドダクト１５に流れ、前記ガイドダクト１５の出口端に装着される前記送風装置１６によって前記排気ダクト２０にガイドされる。
【００２６】
また、前記送風装置１６は、ファンモータ（図示せず）と、前記ファンモータの回転軸に連結される送風ファン（図示せず）を含む。前記送風ファンは、ファンハウジングの内部に収容され、前記ファンハウジングの入口端は、前記ガイドダクト１５の出口端に連結され、前記ファンハウジングの出口端は前記排気ダクト２０に連結される。
【００２７】
また、排気式乾燥機の場合、前記吸入ダクト２１の入口部にガス燃焼装置２２が備えられ、前記吸入ダクト２１に吸入される空気を高温に加熱する。そして、電気式乾燥機の場合、前記リアダクト１９の内部に電気ヒータが装着され、前記吸入ダクト２１に流入する空気が前記乾燥ドラム１１の内部に流入する前に高温に加熱する。
【００２８】
上記のような構成をなす衣類乾燥機１０の乾燥過程について簡略に説明すると、まず、前記フロントキャビネット１２に備えられた投入ホール１２１を介して前記乾燥ドラム１１の内部に乾燥対象物を投入する。そして、乾燥開始命令を入力すると、前記送風装置１６が作動し、前記吸入ダクト２１に流入する空気がガス燃焼装置または電気ヒータによって高温に加熱される。
【００２９】
そして、高温に加熱された空気は、前記リアダクト１９に沿って前記乾燥ドラム１１の後面を介して乾燥ドラム１１の内部に流入する。そして、前記乾燥ドラム１１の内部に流入する高温乾燥した空気は、前記乾燥対象物を乾燥させながら高温多湿の状態に変わる。そして、高温多湿な空気は、乾燥対象物から発生するリントを含有した状態で、前記遮断部材３０を通過して前記ガイドダクト１５にガイドされる。
【００３０】
この時、リントを除いた軟質または硬質の異物は、前記遮断部材３０でフィルタリングされる。そして、前記ガイドダクト１５にガイドされる高温多湿な空気中に含まれたリントは、前記ガイドダクト１５の内部に装着されたリントフィルタによってフィルタリングされる。そして、前記ガイドダクト１５を通過する空気は、前記送風装置１６によって前記排気ダクト２０にガイドされて乾燥機の外部に排出される。
【００３１】
以下では、本発明の実施例に係る遮断部材３０の構造と機能について図面を参照して詳しく説明する。
【００３２】
図３は、本発明の実施例に係る遮断部材の前面を示す斜視図であり、図４は、前記遮断部材の背面を示す部分斜視図であり、図５は、図３のI-Iに沿って切開される縦断面図である。
【００３３】
図３ないし図５を参照すると、本発明の実施例に係る遮断部材３０は、前記フロントキャビネット１２の投入口１２１のエッジに沿ってラウンド状に形成されるボディ部３１と、前記ボディ部３１の内側で左右方向に延長され、上下方向に離隔する多数の区画リブ３２、及び隣接する区画リブ３２の間に形成され、左右方向に離隔する多数の遮断リブ３３を含むことができる。
【００３４】
詳しくは、前記遮断部材３０は、前記投入口１２１の下側に配置され、前記投入口１２１と同一又は類似の曲率でラウンド状に形成される。そして、前記遮断部材３０は、Ｌ状に折れ曲がる形態を呈し、前記区画リブ３２と遮断リブ３３は、遮断部材３０の垂直面に形成される。
【００３５】
また、前記区画リブ３２は、前記遮断部材３０の左側端付近から右側端付近まで延長され、上下方向に所定間隔離隔した状態で形成される。
【００３６】
また、前記遮断リブ３３の上面と下面は、隣接する区画リブ３２の底面と上面にそれぞれ接するように形成される。そして、区画リブ３２それぞれは、図５に示されたように、水平面から下側に所定角度（α）だけ傾斜するように形成されることが良い。具体的に、前記区画リブ３２は、前記乾燥ドラム１１の内側に向かって延長され、かつ下側に傾斜するように延長される構造をなす。したがって、前記遮断部材３０に衝突する異物は前記区画リブ３２によって、前記ガイドダクト１５にガイドされず、前記乾燥ドラム１１の内部に落下することになる。
【００３７】
図６は、図３のＩＩ−ＩＩに沿って切開される遮断部材の横断面図である。
【００３８】
図６を参照すると、本発明の実施例に係る遮断部材３０を構成する前記遮断リブ３３は、横方向に一定間隔を置いて配置される。
【００３９】
詳しくは、前記遮断リブ３３は、上下面が隣接する区画リブ３２の底面と上面に接する第１パート３３１と、前記第１パート３３１から前方にラウンド状に延長される第２パート３３２で構成される。
【００４０】
さらに詳しくは、前記第１パート３３１の一側面は、図示されたように、前記乾燥ドラム１１の左右方向に延長される垂直面から９０度より小さい鋭角（θ）に傾斜する傾斜面３３１ｂをなす。前記傾斜面３３１ｂは、前記乾燥ドラム１１が回転する際に乾燥ドラム１１の内部で共に回転しながら落下する硬質または軟質の異物（ａ、ｂ）が衝突した後、反射して再び乾燥ドラム１１の内部に落下するように形成される。図示のように、ドラムが白矢印方向に回転する際に前記遮断部材３０に衝突した異物は、まず前記傾斜面３３１ｂに衝突した後、前記乾燥ドラム１１の内部へと跳ね返る。そして、前記第１パート３３１の他側面はラウンド状に形成される。
【００４１】
一方、前記第２パート３３２は、外側面３３２ｂと内側面３３２ａが同一方向にラウンド状をなし、かつ相互異なる曲率でラウンド状に形成される。前記外側面３３２ｂは前記傾斜面３３１ｂにつながる面を意味し、前記内側面３３２ａは前記傾斜面３３１ｂの反対面につながる面を意味する。そして、前記傾斜面３３１ｂの反対面、つまり前記第１パート３３１の他側面は、前記第２パート３３２の内側面３３２ａと滑らかにつながるようにラウンド状に形成される。例えば、前記第１パート３３１の他側面と第２パート３３２の内側面３３２ａは、同一曲率でラウンド状をなすことができる。
【００４２】
このように、前記第２パート３３２が所定の曲率でラウンド状に形成されることで、隣接する遮断リブ３３の間に流入する異物（ｂ）が前記遮断部材３０を通過できずにフィルタリングされることになる。万一、前記遮断リブ３３が前記乾燥ドラム１１の前方に直線状に延長される場合、前記異物（ｂ）が前記遮断部材３０を容易に通過できる。しかし、前記遮断リブ３３がラウンド状に形成されることで、異物の通過可能性を顕著に下げることができる長所がある。
【００４３】
また、前記第２パート３３２は、送風装置１６が位置した方向に向かってラウンド状に形成される。本図面と図２に示されたように、前記送風装置１６は前記遮断部材３０の右側下方に位置する。したがって、前記乾燥ドラム１１を通過する空気は、前記ガイドダクト１５に沿って右側下方に流れることになる。したがって、流動抵抗を最小化するためには、前記第２パート３３２が前記送風装置１６に向かう方向にラウンド状をなすことが良い。隣接する遮断リブ３３を通過する空気の流れは黒矢印のように表示できる。
【００４４】
図７は、本発明の他の実施例に係る遮断部材の遮断リブの構造を示す部分斜視図である。
【００４５】
図７を参照すると、本実施例に係る遮断部材３０は、大部分の構成において上述した実施例に係る遮断部材３０と同一であるが、前記遮断リブ３３の構造においては少し異なる。
【００４６】
詳しく説明すると、本実施例に係る前記遮断リブ３３の傾斜面３３１ｂは、垂直面を中心に９０度より小さい鋭角（θ）に傾斜するとともに水平面または前記区画リブ３２の上面から９０度より小さい鋭角（β）に傾斜する。上述した実施例の場合、前記遮断リブ３３は前記区画リブ３２に対して垂直に形成する構造である反面、本実施例に係る遮断リブ３３は水平面に対しても所定角度に傾斜する構造であることを特徴とする。その結果、隣接する区画リブ３２間の間隔を狭めることができ、その分異物が通過する可能性が低くなる。
【００４７】
図８は、本発明の他の実施例に係る遮断部材の構造を示す切開斜視図であり、図９は、本発明の他の実施例に係る遮断部材を構成する遮断リブの斜視図である。
【００４８】
図８及び図９を参照すると、本実施例に係る遮断部材３０は、上述した実施例とは異なり、上下方向に隣接する遮断リブ３３が一体に構成されることを特徴とする。
【００４９】
詳しくは、前記遮断部材３０が第１パート３３１と第２パート３３２からなり、第１パート３３１の形状と構造及び前記第２パート３３２の外側面３３２ｂと内側面３３２ａが同一方向にラウンド状をなし、かつ相互異なる曲率でラウンド状に形成される点においては上述した実施例と同一である。しかし、上下方向に隣接する多数の第２パート３３２が一体に形成され、上下方向に延長される１つのリブからなることにおいては上述した実施例と異なる。
【００５０】
つまり、前記遮断リブ３３の第１パート３３２には、前記区画リブ３２が横方向に通過するための区画リブ通過溝３３１ｃが上下方向に一定間隔離隔して形成される。そして、本実施例に係る遮断部材３０は、図８に示されたような形態の遮断リブ３３が横方向に所定間隔離隔して多数個が配列される構造をなす。そして、横方向に隣接する多数の遮断リブ３３と、縦方向に隣接する多数の区画リブ３２は、射出成形によって単一体に形成される。
【００５１】
このように、前記遮断リブ３３の第２パート３３２が単一体からなることで、乾燥ドラムから吐出される空気が前記送風装置１６側に円滑にガイドされる長所がある。
【図１】
0006360616.tif 000002
【図２】
0006360616.tif 000003
【図３】
0006360616.tif 000004
【図４】
0006360616.tif 000005
【図５】
0006360616.tif 000006
【図６】
0006360616.tif 000007
【図７】
0006360616.tif 000008
【図８】
0006360616.tif 000009
【図９】
0006360616.tif 000010